(57)【要約】      （修正有）【課題】構造は簡単で、通信能力及び携帯性の課題を解決する無線通信装置を提供する。【解決手段】無線通信装置は、装置本体１を含み、装置本体の正面に表示パネル２が嵌入されており、装置本体の正面における上端に受話器が、下端に送話穴３がそれぞれ備えられており、装置本体の上端に接続装置によって２本の信号アンテナが接続されており、それぞれ第一の信号アンテナ５と第二の信号アンテナ６であり、第一の信号アンテナと第二信号アンテナの両上端が接続棒を介して接続されており、接続棒が一方向角運動棒であり、一方向角運動棒は固定段７と角運動段８とを含み、固定段と角運動段はいずれも中空状に構成されており、固定段内に第一の信号補強受信器１０が、角運動段内に第二の信号補強受信器１１がそれぞれ設置されており、固定段と角運動段はいずれも信号受信穴９を開口している。これにより、ノイズ信号を大きく減少させ、信号対雑音比を増加させ、受信信号を効果的に拡大する。【選択図】図１
0003219760.tif 000002
【実用新案登録請求の範囲】
【請求項１】
無線通信装置であって、装置本体を含み、前記装置本体の正面に表示パネルが嵌入されており、前記装置本体の正面における上端に受話器が、下端に送話穴がそれぞれ備えられており、前記装置本体の上端に固定軸によって２本の信号アンテナが接続されており、それぞれ第一の信号アンテナと第二の信号アンテナであり、前記第一の信号アンテナと前記第二信号アンテナの両上端が接続棒を介して接続されており、前記接続棒が一方向角運動棒であり、前記一方向角運動棒は固定段と角運動段とを含み、前記固定段と前記角運動段はいずれも中空状に構成されており、前記固定段内に第一の信号補強受信器が、前記角運動段内に第二の信号補強受信器がそれぞれ設置されており、前記固定段と前記角運動段はいずれも信号受信穴を開口している、ことを特徴とする無線通信装置。
【請求項２】
前記接続装置が固定軸であることを特徴とする請求項１に記載の無線通信装置。
【請求項３】
前記固定段と前記角運動段の接続部位に斜面が設けられていることを特徴とする請求項１に記載の無線通信装置。
【考案の詳細な説明】
【技術分野】
【０００１】
本考案は、通信設備の領域に関し、特に無線通信装置に関する。
【背景技術】
【０００２】
科学と技術の発展につれて、無線通信やレモート通信は最も用いられているコミニケーションの手段となってくる。よく見られる無線通信装置として、携帯電話、インターホンなどがあげられる。携帯電話の薄型化要求に応じて、携帯電話における通信ユニット及び信号アンテナが大幅に小型化されている。ところが、一般的に、携帯電話の通信能力の強さが携帯電話の信号アンテナに比例しているが、この意味では、従来から流行っている携帯電話は外観を見栄え良くデザインしている反対、通信能力が下げられる。
【０００３】
通信基地局から全地域までカバーする都市において、一般的な携帯電話が正常な通信能力を維持することはできるが、通信基地局から遠い位置にある海、砂漠や山岳地帯など、特に山奥と高海抜地区において、携帯電話やインターホンの通信能力が低くなるという問題がでてくる。もし海、砂漠や山岳地帯で仕事、探査、救援をする人々が普通の携帯電話を使っているとしたら、断続のないはっきりした通信ができなくなることにより、情報の遅延に繋がり、さらに、経済的損失や人命事故を引き起こす場合があり、大きな迷惑をかける。
【考案の概要】
【考案が解決しようとする課題】
【０００４】
本実用新案の目的は、無線通信装置を提供することにあり、上記の通信能力の不足という課題を解決することにある。
【課題を解決するための手段】
【０００５】
上記の目的を実現するために、本実用新案の技術方案は、以下の通りである。
無線通信装置は、装置本体を含み、前記装置本体の正面に表示パネルが嵌入されており、前記装置本体の正面における上端に受話器が、下端に送話穴がそれぞれ備えられており、前記装置本体の上端に固定軸によって２本の信号アンテナが接続されており、それぞれ第一の信号アンテナと第二の信号アンテナであり、前記第一の信号アンテナと前記第二信号アンテナの両上端が接続棒を介して接続されており、前記接続棒が一方向角運動棒であり、前記一方向角運動棒は固定段と角運動段を含み、前記固定段と前記角運動段はいずれも中空状に構成されており、前記固定段内に第一の信号補強受信器が、前記角運動段内に第二の信号補強受信器がそれぞれ設置されており、前記固定段と前記角運動段はいずれも信号受信穴を開口している。
【０００６】
本実用新案は、２本の信号アンテナを追加するとともに、信号補強受信器を追加する。信号アンテナと信号補強受信機はいずれも無線通信装置における信号処理ユニットに接続される。これによって、ノイズ信号を大きく減少させ、信号対雑音比を増加させ、受信信号を効果的に拡大する。これによって、通信基地局から遠い位置にある海、砂漠や山岳地帯など、特に山奥と高海抜地区において効果的かつ早速な通信要求が満たされる。また、信号補強受信器が接続棒内に配置されるので、信号が強まるようになるとともに、美観に影響しない。しかも、接続棒は、コネックタとして無線通信装置をユーザの体や他の箇所に掛けるように用いられてもよい。紛失などを避けて、使用に便利である。
【０００７】
好ましい方案として、前記接続装置が固定軸である。
【０００８】
好ましい方案として、前記固定段と角運動段の接続部位に斜面が設けられている。これによって、接続の確実性を向上させる。
【考案の効果】
【０００９】
本実用新案の有益な効果は、本実用新案の構造は簡単であり、現状の通信能力の不足及び携帯性が低いという課題を解決することにある。ノイズ信号を大きく減少させ、信号対雑音比を増加させ、受信信号を効果的に拡大する。これによって、通信基地局から遠い位置にある海、砂漠や山岳地帯など、特に山奥と高海抜地区において効果的かつ早速な通信要求が満たされる。また、信号補強受信器が接続棒内に配置されるので、信号が強まるようになるとともに、美観に影響しない。探検や救済の際に、通信を行うことに非常に有利である。
【図面の簡単な説明】
【００１０】
【図１】図１は、本実用新案の実施例を示す図である。
【００１１】
装置本体  1
表示パネル  2
送話穴  3
スピーカー  4
第一の信号アンテナ  5
第二の信号アンテナ  6
固定段  7
角運動段  8
信号受信穴  9
第一の信号補強受信器  10
第二の信号補強受信器  11  
固定軸  12
【考案を実施するための形態】
【００１２】
以下、図面とともに本実用新案について、さらに説明する。以上の記述は、本実用新案の比較的優れた実施例であって、本実用新案の制限に用いてはならない。
【００１３】
実施例
図１に示すように、無線通信装置は、装置本体1を含み、前記装置本体1の正面に表示パネル2が嵌入されており、前記装置本体1の正面における上端に受話器4が、下端に送話穴3がそれぞれ備えられており、前記装置本体1の上端に固定軸12によって２本の信号アンテナが接続されており、それぞれ第一の信号アンテナ5と第二の信号アンテナ6であり、前記第一の信号アンテナ5と前記第二信号アンテナ6の両上端が接続棒を介して接続されており、前記接続棒が一方向角運動棒であり、この一方向角運動棒は固定段7と角運動段8を含み、前記固定段7と角運動段8の接続部位に斜面が設けられることによって、接続の確実性を向上させ、前記固定段7と角運動段8はいずれも中空状に構成されており、前記固定段7内に第一の信号補強受信器10が、角運動段8内に第二の信号補強受信器11がそれぞれ設置されており、前記固定段7と角運動段8はいずれも信号受信穴9を開口している。
【図１】
0003219760.tif 000003
【手続補正書】
【提出日】平成30年11月13日(2018.11.13)
【手続補正１】
【補正対象書類名】実用新案登録請求の範囲
【補正対象項目名】全文
【補正方法】変更
【補正の内容】
【実用新案登録請求の範囲】
【請求項１】
無線通信装置であって、装置本体を含み、前記装置本体の正面に表示パネルが嵌入されており、前記装置本体の正面における上端に受話器が、下端に送話穴がそれぞれ備えられており、前記装置本体の上端に接続装置によって２本の信号アンテナが接続されており、それぞれ第一の信号アンテナと第二の信号アンテナであり、前記第一の信号アンテナと前記第二信号アンテナの両上端が接続棒を介して接続されており、前記接続棒が一方向角運動棒であり、前記一方向角運動棒は固定段と角運動段とを含み、前記固定段と前記角運動段はいずれも中空状に構成されており、前記固定段内に第一の信号補強受信器が、前記角運動段内に第二の信号補強受信器がそれぞれ設置されており、前記固定段と前記角運動段はいずれも信号受信穴を開口している、ことを特徴とする無線通信装置。
【請求項２】
前記接続装置が固定軸であることを特徴とする請求項１に記載の無線通信装置。
【請求項３】
前記固定段と前記角運動段の接続部位に斜面が設けられていることを特徴とする請求項１に記載の無線通信装置。